(57)【要約】  【課題】構成が簡単で廉価に製造でき、コンクリート、道路のアスファルト等のクラック部分、継目の隙間などの雨水浸透防止、防草等を目的として使用する２液混合型樹脂組成物を提供すること。  【解決方法】 下記（ア）と（イ）の２液からなる２液混合型樹脂組成物であって、コンクリート若しくはアスファルトのクラック部分に、この２液を混合して注入または塗布し、これを固化せしめるところに構成特徴があり、前記無機材料が人工ゼオライトであるものを含む。  （ア）エチレン酢酸ビニルコポリマー（ＥＶＡ）、変性エチレン酢酸ビニルコポリマー（ＥＶＡ加水分解物）、エチレンビニルアルコールコポリマーに代表される酢酸ビニル系樹脂から選ばれたいずれかを主たる構成成分とする共重合樹脂エマルジョンに無機材料を配合したエマルジョン混合物。  （イ）親水性ポリウレタンプレポリマー。  【選択図】  なし【特許請求の範囲】
【請求項１】
下記（ア）と（イ）の２液からなり、コンクリート若しくはアスファルトのクラック部分に、この２液を混合して注入または塗布し、これを固化せしめることを特徴とする２液混合型樹脂組成物。
（ア）エチレン酢酸ビニルコポリマー（ＥＶＡ）、変性エチレン酢酸ビニルコポリマー（ＥＶＡ加水分解物）、エチレンビニルアルコールコポリマーに代表される酢酸ビニル系樹脂より選ばれたいずれかを主たる構成成分とする共重合樹脂エマルジョンに無機材料を配合したエマルジョン混合物。
（イ）親水性ポリウレタンプレポリマー。
【請求項２】
前記無機材料が人工ゼオライトであることを特徴とする、請求項１記載の２液混合型樹脂組成物。
【発明の詳細な説明】
【技術分野】
【０００１】
本発明は特には、コンクリート、道路のアスファルト等のクラック部分、継目の隙間などの雨水浸透防止、防草等を目的として使用する２液混合型樹脂組成物に関するものである。
【背景技術】
【０００２】
道路や建造物などにおいて、コンクリート面やアスファルト面などに発生する亀裂（クラック）や、アスファルト舗装面と境界ブロックとの継目の隙間などの雨水浸透防止、防草等を目的として使用する樹脂組成物としては、２液混合型のエポキシ系樹脂や２液混合型のウレタン系樹脂、アクリル系樹脂エマルジョン、さらにはこれら樹脂にピッチタールを含有させたものなどが提案され、上市されている。
【発明の開示】
【発明が解決しようとする課題】
【０００３】
しかしながら上記従来のものはいずれも、亀裂部分や継目の隙間の中で固させると、コンクリート又はアスファルトと、樹脂固化物の親和性が低いことに加えて、水膨潤性がなくゴム状弾性特性を具有していないためか、亀裂部分や継目の隙間を完全に遮断することができず、雨水浸透防止能、防草能という点において、充分な機能を発揮させることができなかった。
【０００４】
本発明は上記事情に鑑みなされたもので、その目的は、構成が簡単で廉価に製造でき、コンクリート、道路のアスファルト等のクラック部分、継目の隙間などの雨水浸透防止、防草等を目的として使用する２液混合型樹脂組成物を提供するにある。
【課題を解決するための手段】
【０００５】
本発明者は鋭意検討した結果、先ず、エチレン酢酸ビニルコポリマー（ＥＶＡ）の共重合樹脂エマルジョンに人工ゼオライトを含有させたエマルジョン混合物に、親水性ポリウレタンプレポリマーを添加して混合すると、水膨潤特性を具有する弾性ゴム状の生成物が得られることを見出し本発明を完成したものである。
【０００６】
すなわち、本発明が上記課題を解決するために採用した手段は、請求項１の発明に係る２液混合型樹脂組成物は、（ア）エチレン酢酸ビニルコポリマー（ＥＶＡ）、変性エチレン酢酸ビニルコポリマー（ＥＶＡ加水分解物）、エチレンビニルアルコールコポリマーなどに代表される酢酸ビニル系樹脂よりからなる群より選ばれたいずれかを主たる構成成分とする共重合樹脂エマルジョンに無機材料を配合したエマルジョン混合物と、（イ）親水性ポリウレタンプレポリマーとからなり、コンクリート若しくはアスファルトのクラック部分に、この２液を混合して注入または塗布し、これを固化せしめるところに特徴がある。
【０００７】
この２液混合型樹脂組成物を混合すると両者を反応させ、水膨潤特性を具有する弾性ゴム状を生成することができ、コンクリートの亀裂部分、コンクリートブロックの継目の隙間、および、コンクリートとアスファルト間にできる隙間などを効果的に遮断することができる。すなわち、コンクリートの亀裂部分などの隙間を充填補強することのできる新規充填材として提供できる。
【０００８】
請求項２に係る２液混合型樹脂組成物は、請求項１記載の２液混合型樹脂組成物において、前記無機材料が人工ゼオライトであるところに特徴がある。
【発明の効果】
【０００９】
本発明によると、コンクリートの亀裂部分、コンクリートブロックの継目の隙間、およびコンクリートとアスファルト間にできる隙間などを、水膨潤特性を具有する弾性ゴム状の固化物によって効果的に遮断することができるため、雨水浸透や砂埃の堆積を防止でき、そして、日光を遮断できるので、雑草や樹木の種子の着床、及び、植物成長を防止することができる。すなわち、高圧線鉄塔の基礎部分に打設されたコンクリートの亀裂部分を強度補強できるだけでなく、雑草や樹木などの刈取り作業が不要となり、かかる基盤整備費を削減することができる。とりわけ、繁茂した雑草を生活環境とする蛇が鉄塔を上ってショート（感電）すること機会を激減させることができる。
【発明を実施するための最良の形態】
【００１０】
以下、本発明を、その実施の形態に基づいて詳細に説明する。
【００１１】
本発明に係る２液混合型樹脂組成物は、（ア）エチレン酢酸ビニルコポリマー（ＥＶＡ）、変性エチレン酢酸ビニルコポリマー（ＥＶＡ加水分解物）、エチレンビニルアルコールコポリマーなどに代表される酢酸ビニル系樹脂より選ばれたいずれかを主たる構成成分とする共重合樹脂エマルジョンに、無機材料を配合したエマルジョン混合物と、（イ）親水性ポリウレタンプレポリマーとからなり、この２液を混ぜながら、コンクリート若しくはアスファルトのクラック部分などに注入または塗布してこれを固化せしめるところに特徴がある。
【００１２】
共重合樹脂エマルジョンとしては、無機系添加物（例えば無機改質剤、無機増量剤、無機着色剤など）が添加可能で、粘度調整、強度調整、水分含量調整などの観点において、酢酸ビニル系の樹脂を主たる構成成分とするが、特にエチレン酢酸ビニル共重合エマルジョンが好ましい。
【００１３】
前記共重合樹脂エマルジョンには、反応固化後の減量防止、劣化防止などの観点において、無機系添加物を配合することが好ましい。無機材料の原材を限定するものではないがとりわけ、産業廃棄物の有効利用という観点から人工ゼオライトを配合することが好ましい。
【００１４】
上記人工ゼオライトもまたその原材を厳選するものではなく、より具体的には、石炭灰を原料としてその一部ゼオライト化はかったものであり、鉄イオンタイプのもの、カルシウムイオンタイプのもの、ナトリウムイオンタイプのものが例示できその１種であっても２種以上の混合物であっても構わないものとする。
【実施例】
【００１５】
第１液は、エチレン酢酸ビニルコポリマー樹脂エマルジョン６０重量部に、人工ゼオライト３０重量部、着色顔料０．２重量部、酸化防止剤２．０重量部、粘度調整剤５重量部、及び、炭酸カルシウムとシリカサンドを混合してなる混合物であり、その物性は概ね、つぎの通りである。
ａ）樹脂分      ２０−６０（重量％）
ｂ）粘度        ４０００〜６０００（３０℃／cps）
ｃ）外観        灰色粘調性液体
ｄ）水分        ２０−５０（重量％）
ｅ）ｐＨ        弱アルカリ性
【００１６】
第２液は親水性ポリウレタンプレポリマー液であり、ウレタンプレポリマーと、３−イソシアネートメチル  ３，３，５トリメチルシクロヘキシルイソシナネートとを反応してなるものである。
【００１７】
前記第１液に対して、第２液を全体当たり５〜３０重量の割合に添加して、樹脂エマルジョン中の水分と反応せしめてハイドロゲル構造を形成することで、水膨潤特性を具有するゲル状固形物を調整した。
【００１８】
得られたゲル状固形物の物性は以下の通りである。
ｆ）伸び率          約４００％
ｇ）吸水率          約  ２０％
ｈ）膨潤率          約  ２０％
ｉ）接着力
１）２４時間後        ７ｋｇ／ｃｍ2
２）４８時間後      １０ｋｇ／ｃｍ2
【００１９】
以上のとおり、請求項１記載の２液混合型樹脂組成物によれば、２液混合型樹脂組成物を混合して両者を反応させると、水膨潤特性を具有する弾性ゴム状の固形物として生成することができるので、コンクリートの亀裂部分、コンクリートブロックの継目の隙間、およびコンクリートとアスファルト間にできる隙間などを、水膨潤特性を具有する弾性ゴム状の固化物によって効果的に遮断することができる。すなわち、雨水浸透や砂埃の堆積を防止でき、そして、日光を遮断できるため、雑草や樹木の種子の着床、及び、植物成長を防止することができ、高圧線鉄塔の基礎部分に打設されたコンクリートの亀裂部分を強度補強できるだけでなく、雑草や樹木などの刈取り作業が不要となり、かかる基盤整備費を削減することができる。
【産業上の利用可能性】
【００２０】
本発明に係る２液混合型樹脂組成物にあっては、産業上の利用可能性として
（１） 接着剤（特には剥離性接着剤）など、
（２） コンクリート構造物の端縁部補強材など、
（３）ビル屋上の漏水補修材など、
（４）コンクリートブロックやタイルなどの目地剤など
（５）水膨潤性ゴム板（上下水道用パッキンなどを含む）など、
（６）歩車道のスベリ止め材（コンクリ−ト、タイル、ブロック、グレーチング、マンホール蓋など）、
などが例示できる。